(57)【要約】  【課題】スプリングクリップとモータープロテクターとが別部品であるため、一体にするための工程が必要であり、又スプリングクリップの形状が複雑で生産性が悪くコストが高い。  【解決手段】略円筒形をなす本体部１０５の外周部に、係止用突起１０６、１０７を端面に設けた一対のアーム部１０８、１０９を形成したモータープロテクター１０４と、密閉型電動圧縮機外側に固定され係止用突起１０６、１０７に対応する係止孔１１２ａ、１１２ｂを係止部１１０、１１１に形成したブラケット１０３とを備え、係止用突起１０６、１０７を係止孔１１２ａ、１１２ｂに係止することでモータープロテクター１０４を密閉型電動圧縮機に固定したもので、係止するためのアーム部１０８、１０９が容易に成形でき生産性が高くなると共にスプリングクリップが不要となるので生産性が高く、コストの安い密閉型電動圧縮機のモーター保護装置を提供することができる。【選択図】図２
2006138208.tif 000002
【特許請求の範囲】
【請求項１】
略円筒形をなす本体部に、係止用突起を端面に設けた一対のアーム部を形成したモータープロテクターと、密閉型電動圧縮機外側に固定され前記係止用突起に対応する係止孔を係止部に形成したブラケットとを備え、前記係止用突起を前記係止孔に係止することで前記モータープロテクターを前記密閉型電動圧縮機に固定してなる密閉型電動圧縮機のモーター保護装置。
【請求項２】
本体部とアーム部は樹脂材で一体に形成される請求項１に記載の密閉型電動圧縮機のモーター保護装置。
【請求項３】
ブラケットにアーム部が挿入される挿入口を係止部に形成するとともに、前記挿入口は外に向かって拡がるテーパー部を有する請求項１に記載の密閉型電動圧縮機のモーター保護装置。
【請求項４】
モーター保護装置のアーム部に相対したブラケットの挿入口は反対方向に向いて開口している請求項１から３のいずれか１項に記載の密閉型電動圧縮機のモーター保護装置。
【請求項５】
略円筒形をなす本体部の外周を回転自在にガイドするガイド部を設けた請求項４に記載の密閉型電動圧縮機のモーター保護装置。
【請求項６】
アーム部が挿入されるブラケットの挿入口は同一方向に向いて開口している請求項１から３のいずれか１項に記載の密閉型電動圧縮機のモーター保護装置。
【発明の詳細な説明】
【技術分野】
【０００１】
本発明は密閉型電動圧縮機（以下圧縮機という）のモーター保護装置の装着固定の改良に関するものである。
【背景技術】
【０００２】
従来、圧縮機のモータープロテクターの装着固定は密閉容器内外を電気的に連絡させるハーメチックターミナルにモータープロテクターをブラケットにスプリングクリップで装着したものが一般的である（例えば、特許文献１参照）。
【０００３】
以下、図面を参照しながら上記従来の圧縮機を説明する。
【０００４】
図１３は従来の密閉型電動圧縮機の側面図、図１４は図１３のＨ−Ｈ線矢視図、図１５は従来のモーター保護装置の拡大図、図１６は従来のスプリングクリップの側面図、図１７は従来のスプリングクリップの拡大側面図である。
【０００５】
図１３から図１７において、圧縮機本体を形成する密閉容器１には、電動要素（図示せず）と、この電動要素より駆動される圧縮要素（図示せず）とが、複数のスプリング（図示せず）によって弾性的に保持されている。
【０００６】
密閉容器１は、密閉容器１内外を電気的に連絡するハーメチックターミナル２と電装品カバー（図示せず）を固定する密閉容器１の外側に溶接固定したブラケット３を備えている。ブラケット３には断面がクランク状の取り付け部３ａが折曲形成されている。
【０００７】
略円筒形のモータープロテクター４は本体部５とフランジ部６で形成されており本体の内部には密閉容器１の温度や電流を感知して動作するよう、ヒーター（図示せず）とバイメタル（図示せず）を内蔵している。
【０００８】
モータープロテクター４を固着させるスプリングクリップ７はモータープロテクター４の本体部５の外径とほぼ同じ内径寸法の円弧を有する内側部８と、両サイドに延出形成されたアーム部９と、アーム部９の先端に上下左右に膨出するように形成された固着部１０から構成され、バネ性のあるピアノ線から形成されている。
【０００９】
以上のような構成において、本体部５をスプリングクリップ７の内側部８に挿入し、ブラケット３に備えた取り付け部３ａにスプリングクリップ７の固着部１０を挿入することで、モータープロテクター４は弾性的に密閉容器１に固定されている。
【特許文献１】実開昭５７−５２０４３号公報
【発明の開示】
【発明が解決しようとする課題】
【００１０】
しかしながら、上記従来の構成では、図１５に示すように、スプリングクリップ７とモータープロテクター４の本体部５とが別部品であるため、本体部５と一体にするための工程が必要であり、又スプリングクリップ７の形状が複雑で生産性が悪くコストが高い。
【００１１】
本発明は、上記従来の課題を解決するもので、生産性が高く、コストの安い密閉型電動圧縮機のモーター保護装置を提供することを目的とする。
【課題を解決するための手段】
【００１２】
上記従来の課題を解決するために、本発明の密閉型電動圧縮機のモーター保護装置は、略円筒形をなす本体の外周部に、係止用突起を端面に設けた一対のアーム部を形成したモータープロテクターと、密閉型電動圧縮機外側に固定され前記係止用突起に対応する係止孔を係止部に形成したブラケットとを備え、前記係止用突起を前記係止孔に係止することで前記モーター保護装置を前記密閉型電動圧縮機に固定したもので、係止するためのアーム部が容易に成形でき生産性が高くなると共にスプリングクリップが不要となる。
【発明の効果】
【００１３】
本発明の密閉型電動圧縮機のモーター保護装置は、係止するためのアーム部が容易に成形でき生産性が高くなると共にスプリングクリップが不要となるので生産性が高く、コストの安いモーター保護装置を提供することができる。
【発明を実施するための最良の形態】
【００１４】
請求項１に記載の発明は、略円筒形をなす本体の外周部に、係止用突起を端面に設けた一対のアーム部を形成したモータープロテクターと、密閉型電動圧縮機外側に固定され前記係止用突起に対応する係止孔を係止部に形成したブラケットとを備え、前記係止用突起を前記係止孔に係止することで前記モータープロテクターを前記密閉型電動圧縮機に固定したもので、係止するためのアーム部が容易に成形でき生産性が高くなると共にスプリングクリップが不要となるので生産性が高く、コストの安い密閉型電動圧縮機のモーター保護装置を提供することができる。
【００１５】
請求項２に記載の発明は、請求項１の発明に、本体部とアーム部を樹脂材で一体に形成されるもので、本体とアーム部が同時成形できることから生産性が向上する。
【００１６】
請求項３に記載の発明は、請求項１の発明に、ブラケットにアーム部が挿入される挿入口を係止部に形成するとともに、前記挿入口は外に向かって拡がるテーパー部を有するもので、挿入口のテーパー部にモーター保護装置のアーム部を押し込み挿入するだけで固定でき生産性が良くなる。
【００１７】
請求項４に記載の発明は、請求項１から３のいずれか１項の発明に、モーター保護装置のアーム部に相対したブラケットの挿入口は反対方向に向いて開口しているもので、回転方向から挿入作業するものに優れた組み付け生産性を発揮する。
【００１８】
請求項５に記載の発明は、請求項４の発明に、略円筒形をなす本体部の外周を回転自在にガイドするガイド部を設けたもので、作業者の手の感覚で位置決めができ狭い空間の組み付けも容易に行える。
【００１９】
請求項６に記載の発明は、請求項１から３のいずれか１項の発明に、アーム部が挿入されるブラケットの挿入口は同一方向に向いて開口しているもので、一定方向から挿入作業するものに優れた組み付け生産性を発揮する。
【００２０】
以下、本発明の実施の形態について、図面を参照しながら説明する。なお、この実施の形態によってこの発明が限定されるものではない。
【００２１】
（実施の形態１）
図１は本発明の実施の形態１における密閉型電動圧縮機のモーター保護装置の側面図、図２は同、モータープロテクター固着前の要部拡大側面図、図３は同、モータープロテクター固着後の要部拡大側面図、図４は図２におけるＡ矢視図、図５は図３におけるＣ−Ｃ線断面図、図６は図３におけるＤ−Ｄ線断面図、図７は図３におけるＥ−Ｅ線断面図である。
【００２２】
以下、図１から図７に基づいて、本発明の実施の形態について説明する。
【００２３】
図１から図７において、圧縮機本体を形成する密閉容器１０１には、電動要素（図示せず）と、この電動要素より駆動される圧縮要素（図示せず）とが、複数のスプリング（図示せず）によって弾性的に保持されている。
【００２４】
密閉容器１０１は、密閉容器１０１内外を電気的に連絡するハーメチックターミナル１０２と電装品カバー（図示せず）を固定する密閉容器１０１の外側に溶接固定したブラケット１０３を備えている。
【００２５】
モータープロテクター１０４は略円筒形の本体部１０５と、本体部１０５と一体に形成された一対のアーム部１０８と１０９を有している。アーム部１０８と１０９の両端上面には、各々、くさび状の係止用突起１０６と逆向きのくさび状係止用突起１０７を形成している。本体部１０５とアーム部１０８、１０９は熱可塑性の樹脂材で一体に形成されている。本体部１０５の内部には密閉容器１０１の温度や電流を感知して動作するよう、ヒーター（図示せず）とバイメタル（図示せず）を内蔵している。
【００２６】
ブラケット１０３には、アーム部１０８と１０９が挿入係止される係止部１１０と係止部１１１が形成されている。係止部１１０と係止部１１１にはくさび状係止用突起１０６と逆向きのくさび状係止用突起１０７に対応する位置に各々係止孔１１２ａ、１１２ｂを穿設している。
【００２７】
係止部１１０と係止部１１１の挿入口１１３ａ、１１３ｂにはアーム部１０８と１０９が挿入しやすいよう、テーパー部１１４、１１５が各々形成されている。また、本体部１０５の底面に対応する部分に、本体部１０５の外径より少し大きな円形の逃げ穴からなるガイド部１１６を形成している。
【００２８】
以上のように構成された圧縮機について、以下にその組立動作を説明する。
【００２９】
ブラケット１０３のガイド部１１６に本体部１０５を押し当て、本体部１０５をＢ方向に回転させることで、アーム部１０８と１０９の端面に設けたくさび状の係止用突起１０６、１０７が係止部１１０と係止部１１１に設けた係止孔１１２ａ、１１２ｂに嵌合しモータープロテクター１０４はブラケット１０３に固定される。
【００３０】
この際、テーパー部１１４とテーパー部１１５がアーム部１０８と１０９を受け止め、挿入口１１３ａ、１１３ｂ内にスムーズに導入することができるため、作業性が良い。また係止用突起１０６、１０７はくさび状をしており、いったん係止孔１１２ａ、１１２ｂに嵌合すると、抜けにくく、確実にモータープロテクター１０４をブラケット１０３に固定することができる。
【００３１】
また、一対のアーム部１０８と１０９は本体部１０５と一体に形成されており、これらを一体にする作業は不要である。
【００３２】
以上のように、本実施の形態によれば、生産性が高く、コストの安い密閉型電動圧縮機のモーター保護装置を提供することができる。
【００３３】
（実施の形態２）
図８は本発明の実施の形態２における密閉型電動圧縮機のモーター保護装置の側面図、図９は同、モータープロテクター固着前の要部拡大側面図、図１０は同、モータープロテクター固着後の要部拡大側面図、図１１は図１０におけるＦ−Ｆ線断面図、図１２は図１０におけるＧ−Ｇ線断面図である。
【００３４】
以下、図８から図１２に基づいて本実施の形態について説明する。なお、実施の形態１と同一構成については同一符号を付して詳細な説明を省略する。
【００３５】
図８から図１２において、圧縮機本体を形成する密閉容器１０１には、電動要素（図示せず）と、この電動要素より駆動される圧縮要素（図示せず）とが、複数のスプリング（図示せず）によって弾性的に保持されている。
【００３６】
密閉容器１０１は、密閉容器１０１内外を電気的に連絡するハーメチックターミナル１０２と電装品カバー（図示せず）を固定する密閉容器１０１の外側に溶接固定したブラケット２０３を備えている。
【００３７】
モータープロテクター２０４は略円筒形の本体部２０５と、本体部２０５と一体に形成された一対のアーム部２０８と２０９を有している。アーム部２０８と２０９の両端上面には、各々、くさび状の係止用突起２０６、２０７が同じ方向に形成されている。本体部２０５とアーム部２０８、２０９は熱可塑性の樹脂材で一体に形成されている。本体部２０５の内部には密閉容器１０１の温度や電流を感知して動作するよう、ヒーター（図示せず）とバイメタル（図示せず）を内蔵している。
【００３８】
ブラケット２０３には、アーム部２０８と２０９が挿入係止される係止部２１０と係止部２１１が形成されている。係止部２１０と係止部２１１にはくさび状係止用突起２０６、２０７に対応する位置に各々係止孔２１２ａ、２１２ｂを穿設している。係止部２１０、２１１の挿入口２１３ａ、２１３ｂにはアーム部２０８、２０９が挿入しやすいよう、テーパー部２１４、２１５が各々形成されている。
【００３９】
以上のように構成された圧縮機について、以下にその組立動作を説明する。
【００４０】
ブラケット２０３の上方に本体部２０５を押し当て、本体部２０５を矢印方向にスライドさせることで、アーム部２０８と２０９の端面に設けたくさび状の係止用突起２０６、２０７が係止部２１０と係止部２１１に設けた係止孔２１２ａ、２１２ｂに嵌合しモータープロテクター２０４はブラケット２０３に固定される。
【００４１】
この際、テーパー部２１４とテーパー部２１５がアーム部２０８と２０９を受け止め、挿入口２１３ａ、２１３ｂ内にスムーズに導入することができるため、作業性が良い。また係止用突起２０６と２０７はくさび状をしており、いったん係止孔２１２ａ、２１２ｂに嵌合すると、抜けにくく、確実にモータープロテクター２０４をブラケット２０３に固定することができる。
【００４２】
また、一対のアーム部２０８と２０９は本体部２０５と一体に形成されており、これらを一体にする作業は不要である。
【００４３】
以上のように、本実施の形態によれば、生産性が高く、コストの安い密閉型電動圧縮機のモーター保護装置を提供することを目的とする。
【産業上の利用可能性】
【００４４】
以上のように、本発明にかかる密閉型電動圧縮機のモーター保護装置は、安価で抜けにくく組み付け作業性の良い圧縮機を提供することができるので自販機、冷凍ショーケース、除湿機などの用途にも適用できる。
【図面の簡単な説明】
【００４５】
【図１】本発明の実施の形態１における密閉型電動圧縮機のモーター保護装置の側面図
【図２】同、モータープロテクター固着前の要部拡大側面図
【図３】同、モータープロテクター固着後の要部拡大側面図
【図４】図２におけるＡ矢視図
【図５】図３におけるＣ−Ｃ線断面図
【図６】図３におけるＤ−Ｄ線断面図
【図７】図３におけるＥ−Ｅ線断面図
【図８】本発明の実施の形態２における密閉型電動圧縮機のモーター保護装置の側面図
【図９】同、モータープロテクター固着前の要部拡大側面図
【図１０】同、モータープロテクター固着後の要部拡大側面図
【図１１】図１０におけるＦ−Ｆ線断面図
【図１２】図１０におけるＧ−Ｇ線断面図
【図１３】従来の密閉型電動圧縮機の側面図
【図１４】図１３のＨ−Ｈ線矢視図
【図１５】従来のモーター保護装置の拡大図
【図１６】従来のスプリングクリップの側面図
【図１７】従来のスプリングクリップの拡大側面図
【符号の説明】
【００４６】
１０１  密閉容器
１０２  ハーメチックターミナル
１０３、２０３  ブラケット
１０４、２０４  モータープロテクター
１０５、２０５  本体部
１０６、１０７、２０６、２０７  係止用突起
１０８、１０９、２０８、２０９  アーム部
１１０、１１１、２１０、２１１  係止部
１１２ａ、１１２ｂ、２１２ａ、２１２ｂ  係止孔
１１３ａ、１１３ｂ、２１３ａ、２１３ｂ  挿入口
１１４、１１５、２１４、２１５  テーパー部
１１６  ガイド部
【図１】
2006138208.tif 000003
【図２】
2006138208.tif 000004
【図３】
2006138208.tif 000005
【図４】
2006138208.tif 000006
【図５】
2006138208.tif 000007
【図６】
2006138208.tif 000008
【図７】
2006138208.tif 000009
【図８】
2006138208.tif 000010
【図９】
2006138208.tif 000011
【図１０】
2006138208.tif 000012
【図１１】
2006138208.tif 000013
【図１２】
2006138208.tif 000014
【図１３】
2006138208.tif 000015
【図１４】
2006138208.tif 000016
【図１５】
2006138208.tif 000017
【図１６】
2006138208.tif 000018
【図１７】
2006138208.tif 000019